(57)【要約】【課題】事業所と営業部署の間で互いにキャッシュフローの情報を行き来させることができないため、正確な入金シミュレーションを行うことができず、予測値と実績値に誤差が生じる。【解決手段】キャッシュフロー管理システム１は、過去に顧客から受注された製品の受注実績情報に含まれる、売掛後に顧客から入金された実績に基づいて計画された、顧客の入金計画を入金計画情報に反映する。そして、入金計画が反映された入金計画情報に基づいて、顧客が計画通りに入金した入金実績が反映される入金モデル情報を更新し、入金モデル情報から読み出した、入金計画と入金実績の乖離が少ない入金パターンに基づいて、入金計画情報を確定する。【選択図】図５
2014186619.tif 000002
【特許請求の範囲】
【請求項１】
過去に顧客から受注された製品の受注実績情報に含まれる、売掛後に前記顧客から入金された実績に基づいて計画された前記顧客の入金計画を入金計画情報に反映する第１の入金計画初期作成処理部と、
前記入金計画が反映された前記入金計画情報に基づいて、前記顧客が計画通りに入金した入金実績が反映される入金モデル情報を更新する入金モデル情報更新処理部と、
前記入金モデル情報から読み出した、前記入金計画と前記入金実績の乖離が少ない入金パターンに基づいて、前記入金計画情報を確定する入金計画情報確定処理部と、を備える
キャッシュフロー管理システム。
【請求項２】
さらに、過去に入金された実績を示す入金実績情報を前記入金モデル情報に反映する入金実績情報取込処理部と、
製品の受注計画に対し、前記入金モデル情報から抽出した前記入金パターンを用いて作成した前記入金計画情報に含まれる顧客から受注する契約単位の案件毎に、前記入金モデル情報に含まれる前記案件とカウント更新キーで照合し、前記カウント更新キーが一致した案件件数を計画カウントとして前記入金計画情報を更新する第２の入金計画初期作成処理部と、を備える
請求項１記載のキャッシュフロー管理システム。
【請求項３】
前記第１の入金計画初期作成処理部は、前記受注実績情報、及び売掛実績情報に含まれる前記案件毎に、前記製品の生産計画に基づいて計画された前記製品の売掛計画情報に含まれる前記案件とカウント更新キーで照合し、前記カウント更新キーが一致した前記案件件数を実績カウントとして前記入金計画情報を更新し、
前記入金モデル情報更新処理部は、前記入金計画情報に基づいて、前記入金モデル情報に含まれる前記計画カウント及び前記実績カウントを更新し、更新した前記計画カウント及び前記実績カウントに基づいて求めた、前記計画カウントに対する前記実績カウントの差分である不一致カウントと、前記計画カウントから前記計画カウントを減じた値に対する前記計画カウントの割合である実績ヒット率を前記入金モデル情報に反映し、
前記入金計画情報確定処理部は、前記入金計画情報に含まれる入金額に前記実績ヒット率を乗じた金額を前記入金計画情報に反映する
請求項２記載のキャッシュフロー管理システム。
【請求項４】
前記入金モデル情報更新処理部は、前記案件の入金パターン毎に、前記実績カウントの順位付けを行って、入金計画に対する入金実績の信頼順位を前記入金モデル情報に反映し、
前記入金計画情報確定処理部は、前記入金モデル情報に反映された前記順位付けに基づいて、最上位となる前記信頼順位によって前記入金モデル情報から抽出した前記入金パターンを前記入金計画情報に反映する
請求項３記載のキャッシュフロー管理システム。
【請求項５】
前記第１の入金計画初期作成処理部は、前記受注実績情報に含まれる売掛後に前記顧客から入金された実績を、前記売掛計画情報の売掛予定日、又は前記製品の売掛実績情報の売掛日に加算して、前記顧客が入金する入金予定日を作成する
請求項４記載のキャッシュフロー管理システム。
【請求項６】
前記入金実績情報及び前記受注実績情報に含まれる前記案件は、顧客コード、営業コード、製品コード、金額によって規定され、前記入金モデル情報に含まれる自動判別キーによって判別され、
前記カウント更新キーには、前記顧客コード、前記営業コード、前記製品コード、前記金額、入金分割回数、入金分割期間、入金按分パターン、入金月数によって規定される
請求項１〜５のいずれかに記載のキャッシュフロー管理システム。
【請求項７】
過去に顧客から受注された製品の受注実績情報に含まれる、売掛後に前記顧客から入金された実績に基づいて計画された前記顧客の入金計画を入金計画情報に反映するステップと、
前記入金計画が反映された前記入金計画情報に基づいて、前記顧客が計画通りに入金した入金実績が反映される入金モデル情報を更新するステップと、
前記入金モデル情報から読み出した、前記入金計画と前記入金実績の乖離が少ない入金パターンに基づいて、前記入金計画情報を確定するステップと、を含む
キャッシュフロー管理方法。
【発明の詳細な説明】
【技術分野】
【０００１】
本発明は、例えば、製造業において必要とされるキャッシュフローを管理するためのキャッシュフロー管理システム及びキャッシュフロー管理方法に関する。
【背景技術】
【０００２】
従来、キャッシュフローを管理し、キャッシュフローを最大化する経営をキャッシュフロー経営と呼んでおり、製造業においてキャッシュフロー経営が重視されるようになってきた。ここで、製品又はサービス等の付加価値を顧客に提供することによって、顧客から得られる対価（売掛債権）と、付加価値の提供に必要とされる調達品、人的リソースなどに掛かる費用（買掛債務）に基づいて算出する情報を「キャッシュフロー」と呼ぶ。キャッシュフローを管理するためには、特許文献１に開示された技術が検討されていた。
【０００３】
特許文献１には、貸出債権管理を主としたキャッシュフローの実績情報とリスク情報である回収不能率、返済時期変更確率予測を用いてキャッシュフローを管理する技術が開示されている。
【先行技術文献】
【特許文献】
【０００４】
【特許文献１】特開２００３−１４１３５６号公報
【発明の概要】
【発明が解決しようとする課題】
【０００５】
ところで、製造業（特に、受注契約毎に製品を生産する個別受注生産を行う製造業）において、各事業所と営業部署が個別にキャッシュフローを管理する場合がある。しかし、各事業所と営業部署が互いにキャッシュフローの情報を行き来させることができず、営業部署で予測した製品の出荷計画、入金計画等と、事業所で実際に生産した製品の受注実績や顧客から入金された金額等が乖離することがあった。
【０００６】
また、製造業においてキャッシュフロー管理を行おうとしても、顧客、仕入先等の経済情勢によって、キャッシュフローの予測値が変動しうるような不安定リスクが潜在している。加えて、顧客、仕入先、自社都合等により製品の生産計画を変更することは、予測から変動した際における大きな偏差要因となっていた。
【０００７】
また、特許文献１に開示された技術を用いても、多数の業務システムから受け取ったキャッシュフローに関する情報を取りまとめることができなかった。このため、未だ債権となっていない受注予測案件や、製作途中の製品に関する受注案件の情報を加味して正確な入金シミュレーションを行うことができず、予測値と実績値に誤差が生じていた。
【０００８】
本発明はこのような状況に鑑みて成されたものであり、キャッシュフローの予測値と実績値の誤差を少なくすることを目的とする。
【課題を解決するための手段】
【０００９】
本発明は、過去に顧客から受注された製品の受注実績情報に含まれる、売掛後に顧客から入金された実績に基づいて計画された、顧客の入金計画を入金計画情報に反映する。この入金計画が反映された入金計画情報に基づいて、顧客が計画通りに入金した入金実績が反映される入金モデル情報を更新する。
そして、入金モデル情報から読み出した、前記入金計画と前記入金実績の乖離が少ない入金パターンに基づいて、入金計画情報を確定するものである。
【発明の効果】
【００１０】
本発明によれば、製品を過去に受注した受注実績に基づいて、顧客の入金計画を反映した入金計画情報を確定するため、キャッシュフローを高精度に管理することが可能となる。
【図面の簡単な説明】
【００１１】
【図１】本発明の一実施の形態例におけるキャッシュフロー管理システムの構成例を示すブロック図である。
【図２】本発明の一実施の形態例におけるキャッシュフロー管理システムにおけるデータ関連を示すデータ関連図である。
【図３】本発明の一実施の形態例における受注実績情報、受注計画情報、入金実績情報の構成内容の例を示す説明図である。
【図４】本発明の一実施の形態例における入金計画情報、入金モデル情報、売掛実績情報、売掛計画情報の構成内容の例を示す説明図である。
【図５】本発明の一実施の形態例におけるキャッシュフロー管理システムの処理例を示すフローチャートである。
【図６】本発明の一実施の形態例における入金モデル情報に格納される情報の具体例を示す説明図である。
【発明を実施するための形態】
【００１２】
以下、本発明の一実施の形態例について、添付図面を参照して説明する。
本実施の形態例に係るキャッシュフロー管理システム１は、コンピュータがプログラムを実行することにより、後述する機能ブロックが連携して行うキャッシュフロー管理方法を実現する。本明細書及び図面において、実質的に同一の機能又は構成を有する構成要素については、同一の符号を付することにより重複する説明を省略する。
【００１３】
図１は、キャッシュフロー管理システム１の内部構成例を示すブロック図である。
【００１４】
キャッシュフロー管理システム１は、ユーザインタフェース２、データベースサーバ３、アプリケーションサーバ４、及びＷｅｂサーバ５を備える。また、キャッシュフロー管理システム１は、取引先からの受注を管理する受注システム３０、売掛金を管理する売掛システム４０、入金を管理する入金システム５０、製造業における各種製品の工程を管理する工程管理システム６０とを備える。
【００１５】
ユーザインタフェース２は、経理担当者等がデータを入力し、画面に映し出された値に基づいて、入金、受注、売掛の計画と実績を把握するために用いられる、いわゆるクライアントＰＣ（Personal Computer）である。ユーザインタフェース２は、画面に画像を表示する表示部２ａ、キーボード、マウス等からなる操作部２ｂ、ＣＰＵ（Central Processing Unit）、記憶装置等を有する本体部２ｃを備え、ユーザが画面を見ながら操作することが可能である。同様に、データベースサーバ３は、表示部３ａ、操作部３ｂ、本体部３ｃを備え、アプリケーションサーバ４は、表示部４ａ、操作部４ｂ、本体部４ｃを備え、Ｗｅｂサーバ５は、表示部５ａ、操作部５ｂ、本体部５ｃを備えている。
このようにデータベースサーバ３、アプリケーションサーバ４、及びＷｅｂサーバ５についても、ユーザインタフェース２と同様の構成としてある。
【００１６】
データベースサーバ３は、ＨＤＤ（Hard disk drive）、テープ装置等の大容量記録装置によって構成されており、情報格納部２０内の各種の情報ファイルを格納している。
アプリケーションサーバ４は、データベースサーバ３から読み出したファイルに基づいて、演算処理部１０内の各処理を行い、データベースサーバ３に処理後のファイルを書き込む。
【００１７】
Ｗｅｂサーバ５は、アプリケーションサーバ４によって処理された情報を、ユーザインタフェース２がＷｅｂブラウザで閲覧可能とする画像を作成する。そして、Ｗｅｂサーバ５は、ユーザインタフェース２で稼働するＷｅｂブラウザを介して入力されたデータをアプリケーションサーバ４に受け渡す。
【００１８】
さらに、キャッシュフロー管理システム１は、演算処理部１０と、情報格納部２０とを備える。演算処理部１０は、各種の情報処理部（プログラム等）を用いて、所定の演算処理を行うものであって、不図示のＣＰＵが動作を制御する。ユーザインタフェース２、データベースサーバ３、アプリケーションサーバ４、及びＷｅｂサーバ５は、それぞれ回線６によって演算処理部１０に接続されており、相互にアクセス可能である。また、演算処理部１０は、回線３１，３２によって接続された受注システム３０から受注実績情報２４と受注計画情報２５を受け取ることが可能である。また、演算処理部１０は、回線４１によって接続された売掛システム４０から売掛実績情報２６を受け取り、回線５１によって接続された入金システム５０から入金実績情報２１を受け取ることが可能である。また、演算処理部１０は、回線６１によって接続された工程管理システム６０から売掛計画情報２７を受け取ることが可能である。
【００１９】
演算処理部１０は、入金実績情報取込処理部１１、入金モデル情報更新処理部１２、受注実績情報による入金計画初期作成処理部１３、入金計画情報確定処理部１４、及び受注計画情報による入金計画初期作成処理部１５を備える。これらの各処理部が行う詳細な処理例は後述する。受注実績情報による入金計画初期作成処理部１３は、第１の入金計画初期作成処理部の一例として用いられ、受注計画情報による入金計画初期作成処理部１５は、第２の入金計画初期作成処理部の一例として用いられる。
【００２０】
また、情報格納部２０は、演算処理部１０が各システムから受け取った入金実績情報２１、入金計画情報２２、入金モデル情報２３、受注実績情報２４、受注計画情報２５、売掛実績情報２６、及び売掛計画情報２７を格納する。これら各情報の詳細な内容例は後述する。
【００２１】
ここで、以降の説明で用いられる、用語の説明を行う。
受注実績とは、顧客と契約を締結し、実際に製品の受注に結びつけた実績を表す。
受注計画とは、顧客から製品を受注すると予測した予測値を表す。本実施の形態例に係るキャッシュフロー管理システム１では、顧客との契約を締結する前に受注が計画されることとなる。
売掛実績とは、顧客から売掛金を回収した実績を表す。
売掛計画とは、受注計画に基づいて予測される顧客への売掛金の計画を表す。
【００２２】
また、製品コードは、受注した製品を一意に識別するために製品毎に付される符号である。
営業コードは、営業部署を一意に識別するために営業部署毎に付される符号である。
顧客コードは、顧客を一意に識別するために顧客毎に付される符号である。
【００２３】
ここで、入金モデル情報２３に含まれる顧客コード、営業コード、製品コード、金額までの情報を、入金パターンを自動的に判定するための「自動判別キー」としている。入金実績情報２１及び受注実績情報２４に含まれる、顧客から受注する契約単位の案件は、自動判別キーによって規定される。
【００２４】
さらに、自動判別キーに加えて、入金分割回数、入金分割期間、入金按分パターン、入金月数（売掛後月数とも呼ぶ）を、実績カウントを更新するための「実績カウント更新キー」としている。この実績カウント更新キーは、他の計画カウント等の照合にも用いられるカウント更新キーの一例として挙げたものである。
なお、売掛後月数とは、売掛後、入金が開始されるまでに要する月数を表すが、以下の説明では、入金月数として説明を行う。
【００２５】
案件件数とは、顧客から受注する契約単位の受注番号の数である。入金の金額、分割回数等は、受注番号毎（契約毎）に計画されることとなる。
実績カウントとは、入金実績情報２１と入金モデル情報２３を、実績カウント更新キーで照合し、一致した案件件数である。なお、実績カウントには、受注実績情報２４及び売掛実績情報２６を案件毎に、実績カウント更新キーで照合し、一致した案件件数も含まれる。
計画カウントとは、入金計画情報２２と入金モデル情報２３を、実績カウント更新キーで照合し、一致した案件件数である。
不一致カウントとは、受注計画情報２５、受注実績情報２４から案件毎に示される案件の入金計画が実績と不一致となった案件件数（すなわち、計画通りに入金されなかった件数）である。不一致カウントは、計画カウントに対する実績カウントの差分として求められる。
【００２６】
実績ヒット率とは、受注計画情報２５、受注実績情報２４から案件毎に示される案件の入金計画が入金実績と一致した案件件数（すなわち計画通りに入金された件数）の計画カウントに対する割合である。つまり、実績ヒット率は、計画カウントに対する、計画カウントから不一致カウントを減じた値の割合として求められる。
信頼順位とは、同一の実績カウント更新キーの中に含まれる案件であって、実績カウントの多い順に順位を付けた値である。
【００２７】
次に、各処理部が行う処理例を説明する。
受注実績情報による入金計画初期作成処理部１３は、過去に顧客から受注された製品の受注実績情報２４に含まれる、売掛後に顧客から入金された実績に基づいて計画された顧客の入金計画を入金計画情報２２に反映する。すなわち、受注実績情報による入金計画初期作成処理部１３は、売掛システム４０から受け取る売掛実績情報２６、工程管理システム６０から受け取る売掛計画情報２７、受注システム３０から受け取る受注実績情報２４に基づき、初期の入金計画情報２２を作成する。受注実績情報による入金計画初期作成処理部１３が作成する入金計画情報２２は、顧客から受注すると予測される受注予測を済ませた製品の入金計画を管理するために用いられる。
【００２８】
入金モデル情報更新処理部１２は、受注実績情報による入金計画初期作成処理部１３と、受注計画情報による入金計画初期作成処理部１５の処理結果である入金計画情報２２を用いて、入金モデル情報２３に含まれる計画カウントと実績ヒット率を更新する。
【００２９】
入金計画情報確定処理部１４は、入金モデル情報更新処理部１２が出力した入金モデル情報２３と、受注計画情報による入金計画初期作成処理部１５が出力した入金計画情報２２に基づいて、最適な入金計画情報２２を作成する。最適な入金計画情報２２とは、信頼性の高い入金計画であることを表す。例えば、入金計画情報２２に基づいて、入金実績情報２１等の過去に行われた入金の情報を元にリスクを「実績ヒット率」として数値化している。
【００３０】
ここで、入金計画情報２２の計画された入金額（入金予定額）は、入金モデル情報２２の実績ヒット率を加味して設定された値である。さらに、入金モデル情報２３で合致する入金パターンの信頼順位が１位となる案件により非実績ヒット率（１００％−実績ヒット率）分が設定されている。例えば、入金計画情報確定処理部１４は、入金予定額である“１０万円”に対し、実績ヒット率が“７０％”の場合における入金予定額である“７万円”が合致した入金モデル情報２３により入金計画情報２２を更新する。さらに、入金計画情報確定処理部１４は、入金パターンの信頼順位が１位である入金モデルに基づいて、入金予定額の残高である“３万円”により入金計画情報２２を更新する。入金モデル情報２３の最適な入金モデルは、後述する図６に示すように信頼順位が１位となる入金パターンによって示される。
【００３１】
入金実績情報取込処理部１１は、過去に顧客から入金された実績を示す入金実績情報２１を入金モデル情報２３に反映する。すなわち、入金実績情報取込処理部１１は、入金システム５０から回線５１を通じて受け取った入金実績情報２１に基づいて、入金モデル情報２３内の実績カウント、不一致カウント、実績ヒット率（後述する図３を参照）を更新する。
【００３２】
受注計画情報による入金計画初期作成処理部１５は、製品の受注計画に対し、顧客が計画通りに入金した入金実績が反映される入金モデル情報２３から抽出した入金パターンを用いて、顧客が入金する計画を示す入金計画情報２２を作成する。すなわち、受注計画情報による入金計画初期作成処理部１５は、受注システム３０から回線３２を通じて受け取った受注計画情報２５と、入金実績情報取込処理部１１から受け取った入金モデル情報２３に基づいて、初期の入金計画情報２２を作成する。受注計画情報による入金計画初期作成処理部１５が作成する入金計画情報２２は、顧客と受注契約を済ませた製品についての入金計画を管理するために用いられる。
【００３３】
なお、受注計画情報による入金計画初期作成処理部１５によって作成された入金計画情報２２を用いて、入金モデル情報更新処理部１２が入金モデル情報２３を更新する。その後、受注実績情報による入金計画初期作成処理部１３によって作成された入金計画情報２２を用いて、入金モデル情報更新処理部１２が入金モデル情報２３を更新する。このため、入金モデル情報更新処理部１２と入金計画情報確定処理部１４は、受注実績に基づいて入金計画を確定する処理と、受注計画に基づいて入金計画を確定する処理の両方で共通処理として用いられる。
【００３４】
図２は、キャッシュフロー管理システム１におけるデータ関連を示すデータ関連図である。
図２には、図１と同様の内容を記載してあるが、情報格納部２０に格納される各情報がどのように演算処理部１０内の各処理に用いられるかを示すためにデータの入出力を矢印で表している。
【００３５】
入金実績情報取込処理部１１には、入金実績情報２１が入力される。そして、入金実績情報取込処理部１１は、入金モデル情報２３を出力する。
入金モデル情報更新処理部１２は、入金計画が反映された入金計画情報２２に基づいて、顧客が計画通りに入金した入金実績が反映される入金モデルを更新した入金モデル情報２３を出力する。
【００３６】
受注実績情報による入金計画初期作成処理部１３には、入金モデル情報２３、受注実績情報２４、売掛実績情報２６、及び売掛計画情報２７が入力される。そして、受注実績情報による入金計画初期作成処理部１３は、初期の入金計画情報２２を出力する。
入金計画情報確定処理部１４には、入金計画情報２２、入金モデル情報２３が入力される。そして、入金計画情報確定処理部１４は、入金モデル情報２３から読み出した、入金計画と入金実績の乖離が少ない入金パターンに基づいて、確定した入金計画情報２２を出力する。
【００３７】
受注計画情報による入金計画初期作成処理部１５には、受注計画情報２５が入力される。そして、受注計画情報による入金計画初期作成処理部１５は、初期の入金計画情報２２を出力する。
【００３８】
次に、各情報に含まれる内容について説明する。
図３は、入金実績情報２１、入金計画情報２２、入金モデル情報２３の構成内容の例を示す。
【００３９】
入金実績情報２１は、受注番号、製品コード、営業コード、顧客コード、分割ナンバー、請求日（売掛日）、入金方法、入金額、入金日、売掛残高、完結日等の内容によって構成される。
【００４０】
入金計画情報２２は、受注番号、製品コード、営業コード、顧客コード、分割ナンバー、請求日（売掛日）、入金方法、入金額、入金日（入金予定日）、売掛残高、完結日等の内容によって構成される。
【００４１】
入金モデル情報２３は、入金パターンナンバー、顧客コード、営業コード、製品コード、金額、入金分割回数、入金分割期間、入金按分パターン、入金月数、実績カウント、計画カウント、不一致カウント、信頼順位、実績ヒット率等の内容によって構成される。入金モデル情報２３は、入金実績情報２１、受注実績情報２４等に対する実績カウント更新キーを用いた照合に際して用いられる。なお、入金実績情報２１、受注実績情報２４に加えて、入金計画情報２２には、実績カウント更新キー内の入金分割回数、入金分割期間、入金按分パターン、入金月数を図示していない。しかし、入金実績情報２１又は入金計画情報２２に含まれる自動判別キー（受注番号、製品コード、顧客コード、営業コード、金額）毎に同一となる情報を集計し、この集計した結果から入金分割回数、入金分割期間、入金按分パターン、入金月数を設定可能である。
【００４２】
上述したように入金モデル情報２３に含まれる実績カウントは、入金実績情報２１との実績カウント更新キーの合致件数を示し、計画カウントは、入金計画情報２２との実績カウント更新キーの合致件数を示す。そして、入金モデル情報２３に含まれる不一致カウントは、入金実績情報２１と入金計画情報２２との実績カウント更新キーの不一致件数を示す。
【００４３】
そして、入金モデル情報２３に対して、実績カウント更新キーを用いて入金実績情報２１又は入金計画情報２２が照合される。この照合結果より、入金モデル情報２３と入金実績情報２１の実績カウント更新キーが一致すると、入金モデル情報２３の実績カウントが加算される。同様に、入金モデル情報２３と入金計画情報２２の実績カウント更新キーが一致すると、入金モデル情報２３の計画カウントが加算される。
【００４４】
また、入金モデル情報２３は、同一の実績カウント更新キー内において実績カウントが多い順に順位付けを行った結果を保持する信頼順位と、実績ヒット率によって構成される。実績ヒット率は、入金計画を変更させるようなリスクが織り込まれた項目であり、入金計画情報２２に対する入金実績情報２１の実績カウント更新キーが合致する案件の比率を表す。後述する図６に、実績ヒット率の具体例を示している。実績ヒット率が１００％であればリスクはなく、実績ヒット率が１００％から下がると、リスクが生じていることを示す。
【００４５】
図４は、受注実績情報２４、受注計画情報２５、売掛実績情報２６、売掛計画情報２７の構成内容の例を示す。
【００４６】
受注実績情報２４は、受注番号、製品コード、営業コード、受注金額、顧客コード、入金分割回数、入金分割期間、入金分割按分パターン、入金月数、納期等の内容によって構成される。入金分割按分パターンは、入金分割時の入金比率を保持するものである。
【００４７】
受注計画情報２５は、受注番号、製品コード、営業コード、受注金額、顧客コード、納期等の内容によって構成される。
【００４８】
売掛実績情報２６は、受注番号、製品コード、営業コード、顧客コード、売掛日、売掛金額等の内容によって構成される。
売掛計画情報２７は、受注番号、製品コード、営業コード、顧客コード、売掛日（売掛予定日）、売掛金額等の内容によって構成される。
【００４９】
図５は、キャッシュフロー管理システム１の処理例を示すフローチャートである。
【００５０】
始めに、入金実績情報取込処理部１１は、入金実績情報２１に基づいて、入金モデル情報２３に含まれる実績カウント更新キー毎に案件件数をカウントする。
【００５１】
そして、入金実績情報取込処理部１１は、カウントした案件件数により入金月数の順位付けを行い、最上位（１位）となる入金分割回数、入金分割期間、入金分割按分パターン、入金月数を最も信頼性の高い入金モデルとして入金モデル情報２３を更新する。さらに、入金実績情報取込処理部１１は、入金モデル情報２３に含まれる実績カウント、不一致カウント、信頼順位、実績ヒット率の更新を行う。
【００５２】
次に、受注計画情報による入金計画初期作成処理部１５は、入金計画情報２２に含まれる案件毎に、入金モデル情報２３に含まれる案件と実績カウント更新キーで照合する。そして、実績カウント更新キーが一致した案件件数を計画カウントとして入金計画情報２２を更新する。このとき、受注計画情報による入金計画初期作成処理部１５は、受注計画情報２５に基づいて、製品コード、営業コード、顧客コード、金額により、入金モデル情報２３に含まれる信頼順位の中で、最上位（１位）となる入金モデルを抽出する。そして、入金モデル情報２３に含まれる入金分割回数、入金分割期間、入金分割按分パターン、入金月数により、初期の入金計画情報２２を作成する。
【００５３】
次に、受注実績情報による入金計画初期作成処理部１３は、受注実績情報２４及び売掛実績情報２６に含まれる案件毎に、売掛計画情報２７に含まれる案件と実績カウント更新キーで照合する。そして、実績カウント更新キーが一致した案件件数を実績カウントとして入金計画情報２２を更新する。また、受注実績情報による入金計画初期作成処理部１３は、受注実績情報２４に含まれる売掛後に顧客から入金された実績を、製品の生産計画に基づいて計画された製品の売掛計画情報２７の売掛日（売掛予定日）、又は製品の売掛実績情報２６の売掛日に加算する。これにより、受注実績情報による入金計画初期作成処理部１３は、顧客が入金する入金予定日を作成する。
【００５４】
このとき、受注実績情報による入金計画初期作成処理部１３は、受注実績情報２４に含まれる入金条件である売掛後に入金するまでの月数を売掛計画情報２７に含まれる売掛日又は、売掛実績情報２６の売掛日に加算し、売掛金の入金予定日を設定する。さらに、受注実績情報による入金計画初期作成処理部１３は、受注実績情報２４の入金条件として入金分割回数、入金分割期間、入金分割按分パターンを抽出した場合は、入金計画情報２２に複数の売掛金の入金日（入金予定日）を設定することができる。
【００５５】
次に、入金モデル情報更新処理部１２は、入金計画情報２２に基づいて、入金モデル情報２３に含まれる計画カウント及び実績カウントを更新する。このとき、入金モデル情報更新処理部１２は、受注実績情報２４による入金計画初期作成処理部１３、又は受注計画情報による入金計画初期作成処理部１５の処理結果として出力される入金計画情報２２を用いて、入金モデル情報２３の更新処理を行う。この処理では、入金計画情報２２に含まれる顧客コード、営業コード、製品コード、入金額と共に、上述した処理によって設定した入金分割回数、入金分割期間、入金分割按分パターン、入金月数により、実績ヒット率を更新している。このとき、入金モデル情報更新処理部１２は、入金モデル情報２３に含まれる計画カウントのカウントアップを行う。
【００５６】
また、入金モデル情報更新処理部１２は、更新した計画カウント及び実績カウントに基づいて、不一致カウントと実績ヒット率を求める。
このとき、入金モデル情報更新処理部１２は、入金計画情報２２への「リスク反映項目」として用いられる実績ヒット率を、次式（１）によって求め、更新している。そして、求めた不一致カウント及び実績ヒット率を入金モデル情報２３に反映する。
実績ヒット率＝［計画カウント−不一致カウント］／計画カウント  …（１）
【００５７】
さらに、入金モデル情報更新処理部１２は、案件の入金パターン毎に、実績カウントの順位付けを行う。そして、入金計画に対する入金実績の信頼順位を入金モデル情報２３に反映する。
【００５８】
次に、入金計画情報確定処理部１４は、入金計画情報２２に含まれる入金額に実績ヒット率を乗じた金額を入金計画情報２２に反映する。このとき、入金計画情報確定処理部１４は、受注実績情報による入金計画初期作成処理部１３又は、受注計画情報による入金計画初期作成処理部１５の処理結果として出力される入金計画情報２２の計画された入金額に実績ヒット率を乗じた金額を算出する。そして、入金計画の確定情報として算出した金額により入金計画情報２２を更新している。
【００５９】
なお、入金計画情報確定処理部１４は、実績ヒット率が１００％以外であれば、実績カウント更新キーで照合した案件群を入金計画情報２２から抽出する。そして、入金計画情報確定処理部１４は、入金モデル情報２３に反映された順位付けに基づいて、最上位となる信頼順位によって入金モデル情報２３から抽出した入金パターンを入金計画情報２２に反映することで、リスクに基づいて計画された入金計画を作成する。
【００６０】
図６は、入金モデル情報２３に格納される情報の具体例を示す説明図である。
【００６１】
ユーザインタフェース２の表示部２ａには、図６に示す入金モデル情報２３が一覧リストとして表示される。入金モデル情報２３には、自動判別キー、実績カウント更新キーの順に複数の案件がソートして格納されている。
【００６２】
ここで、入金パターンナンバー“１”の案件を説明する。
入金パターンナンバー“１”〜“１３”までの案件群は、顧客コードが“Ａ”、営業コードが“東京”、製品コードが“システムＡ”、金額が“１０万円”とした場合における入金モデルを表している。そして、入金パターンナンバー“１４”〜“２７”までの案件群は、顧客コードが“Ａ”、営業コードが“東京”、製品コードが“システムＡ”、金額が“２０万円”とした場合における入金モデルとなっている。各案件は、自動判別キーを含む実績カウント更新キーによってソートされている。
【００６３】
入金分割期間は、入金の開始から終了までの期間(月数)を表す値であり、請求月の翌月を起算月としている。入金分割回数“１”とは一括払いを意味するため、入金分割期間を“１”としている。入金分割回数“０”の場合は、「按分なし」となるが、１回の均等入金が必要とされる。なお、入金パターンナンバー“５”の案件では、入金月数が“−２”のように負の値を取る。これは、顧客との契約により請求前に入金する場合に、売掛月を起算月として月数を遡って計算したためである。
【００６４】
入金パターンナンバー“１”〜“１３”までの案件群のうち、信頼順位が“１”となる案件は、入金分割回数“２”、入金分割期間“２”、按分パターン“Ｃ（７０％／３０％）”である。このため、顧客コード“Ａ”で表される顧客は、入金分割回数を２回とし、入金分割期間を２月とし、１回目の入金予定は７万円であり、２回目の入金予定は３万円とする入金計画が、過去の受注実績、売掛実績、入金実績から求めることができる。
【００６５】
以上説明した一実施の形態例に係るキャッシュフロー管理システム１によれば、入金実績情報２１の内容を反映した入金モデル情報２３と、受注計画情報２５に基づいて入金計画情報２２に含まれる計画カウントと実績ヒット率を更新する。また、受注実績情報２４、売掛実績情報２６及び売掛計画情報２７に基づいて入金計画情報２２に含まれる売掛金の請求日（入金予定日となる売掛日）を更新する。その後、入金モデル情報更新処理部１２によって、入金モデル情報２３の入金モデルが更新され、入金計画情報確定処理部１４によって、入金計画情報２２が確定される。
【００６６】
このようにして、営業部署で管理するキャッシュフローに関連する顧客との契約情報と、事業所等の生産拠点で管理している製品製作、出荷計画に関連する情報を融合している。そして、計画段階で未だ債権となっていない受注予測案件や製作途中の製品に関する受注案件であっても、過去の売掛実績、入金実績等を反映した高精度なキャッシュフローの計画と実績管理（資金収支シミュレーション）を実現することが可能となる。また、取引に際して、顧客、仕入れ先等の入出金情報を保有しない事業所であっても製品番号単位でキャッシュフローを管理できるようになる。このため、売掛計画情報が最終的な計画となるような製品の生産計画と連動した入金シミュレーションを実現することができる。
【００６７】
なお、上述した実施の形態例における一連の処理は、ソフトウェアの代わりにハードウェアにより実行することもできる。なお、一連の処理をソフトウェアにより実行させる場合には、そのソフトウェアを構成するプログラムが専用のハードウェアに組み込まれているコンピュータ、又は各種の機能を実行するためのプログラムをインストールしたコンピュータにより、実行可能である。例えば汎用のパーソナルコンピュータ等に所望のソフトウェアを構成するプログラムをインストールして実行させればよい。
【００６８】
また、上述した実施の形態例の機能を実現するソフトウェアのプログラムコードを記録した記録媒体を、システムあるいは装置に供給してもよい。また、そのシステムあるいは装置のコンピュータ（又はＣＰＵ等の制御装置）が記録媒体に格納されたプログラムコードを読み出し実行することによっても、機能が実現されることは言うまでもない。
【００６９】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７０】
また、コンピュータが読み出したプログラムコードを実行することにより、上述した実施の形態例の機能が実現される。加えて、そのプログラムコードの指示に基づき、コンピュータ上で稼動しているＯＳ等が実際の処理の一部又は全部を行う。その処理によって上述した実施の形態例の機能が実現される場合も含まれる。
【００７１】
また、本発明は上述した実施の形態例に限られるものではなく、特許請求の範囲に記載した本発明の要旨を逸脱しない限りその他種々の応用例、変形例を取り得ることは勿論である。
例えば、上記した実施形態例は本開示を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加・削除・置換をすることも可能である。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００７２】
１…キャッシュフロー管理システム、２…ユーザインタフェース、３…データベースサーバ、４…アプリケーションサーバ、５…Ｗｅｂサーバ、１０…演算処理部、１１…入金実績情報取込処理部、１２…入金モデル情報更新処理部、１３…受注実績情報による入金計画初期作成処理部、１４…入金計画情報確定処理部、１５…受注計画情報による入金計画初期作成処理部、２０…情報格納部、２１…入金実績情報、２２…入金計画情報、２３…入金モデル情報、２４…受注実績情報、２５…受注計画情報、２６…売掛実績情報、２７…売掛計画情報
【図１】
2014186619.tif 000003
【図２】
2014186619.tif 000004
【図３】
2014186619.tif 000005
【図４】
2014186619.tif 000006
【図５】
2014186619.tif 000007
【図６】
2014186619.tif 000008